(57)【要約】【課題】かご３内のセキュリティ向上と、エレベータ１の異常状態を早期に発見すると共に、監視場所を容易に変更増設することができるエレベータの監視装置を得る。【解決手段】エレベータ１の運転状態が所定の時間間隔で日時と共に記録された運転状態データと、この運転状態データに関連するかご３内の映像が記録されたかご内映像データ２９ａとを監視用サーバ２０で集中して記録管理させると共に、この監視用サーバ２０をコンピュータネットワーク３２に接続し、更に、このコンピュータネットワーク３２に監視用端末装置４０を接続して運転状態データとかご内映像データ２９ａをモニタ４８に表示させるようにしたものである。【選択図】        図１
2005001864.tif 000002
【特許請求の範囲】
【請求項１】
エレベータの運転状態が所定の時間間隔で日時と共に記録された運転状態データと、この運転状態データに関連する上記エレベータのかご内の映像が記録されたかご内映像データとを集中して管理する監視用サーバと、上記監視用サーバが接続されたコンピュータネットワークと、人為操作により指定された検索条件に従って上記運転状態データとこの運転状態データに関連する上記かご内映像データとを上記コンピュータネットワークを介して上記監視用サーバから取り込んでモニタに表示する監視用端末装置とを備えたエレベータの監視装置。
【請求項２】
監視用端末装置は、人為操作により指定された検索開始日時から検索終了日時までの運転状態データと、この運転状態データに関連するかご内映像データとを監視用サーバからコンピュータネットワークを介して取り込み、かつ、人為操作により指定された表示日時の上記運転状態データと上記かご内映像データとをモニタに表示するものとした請求項１に記載のエレベータの監視装置。
【請求項３】
監視用端末装置は、人為操作により指定された検索開始日時から検索終了日時までの運転状態データと、この運転状態データに関連するかご内映像データとを監視用サーバからコンピュータネットワークを介して取り込み、かつ、人為操作により指定された表示日時を開始日時として先の日時又は後の日時の上記運転状態データと上記かご内映像データとを順次モニタに表示するものとした請求項１に記載のエレベータの監視装置。
【請求項４】
運転状態データはエレベータのかご位置を示すデータを含むものとし、監視用端末装置は、上記かご位置を縦軸上の位置でモニタに表示し、かつ、上記モニタ上の上記かご位置がポインティングされることによりかご内映像データを上記モニタに表示するものとした請求項２又は請求項３に記載のエレベータの監視装置。
【発明の詳細な説明】
【０００１】
【発明の属する技術分野】
この発明は、エレベータの運転状態とかご内を監視する装置に係るものである。
【０００２】
【従来の技術】
従来のエレベータの監視装置は、エレベータの運転監視とかご内の監視とを別々の装置で行っていた。
しかし、これらの機能を個別の装置で行うようにしたシステムでは、各機能毎に装置を立ち上げて別々に操作する必要があった。即ち、かごの運転状態を把握したい場合は運転監視装置で行い、その時のかご内の状況を見たい場合はかご内監視装置で行っていた。
このように、機能毎に個別の装置で行うようにしたシステムでは、各監視装置毎に、例えば、専用のパソコンを用意する必要があり、かご内映像には、専用のモニタを用意する必要もあった。このため、大きな設置スペースを必要とした。
また、エレベータに異常が発生した場合、異常情報の受信と併せてかご内の映像を受信するようにしたシステムの場合に、同時に両状況を把握するには、それぞれのモニタ画面に係員を配置する必要があり、人件費の点でも問題があった。
そこで、従来のエレベータの監視装置は、かごに監視カメラを設置して監視映像を記録すると共に、この監視映像をエレベータ制御装置から検出された運転状態や日時情報と関連付けて記録しておいて、監視映像を再生する場合に、エレベータの運転状態や日時情報の中から、必要な情報を任意に選択して画面上で組み合わせて表示したり、記録した監視映像の中から、特定の運転状態に一致する監視映像を検出して表示させるようにしていた（例えば、特許文献１参照）。
【０００３】
【特許文献１】
特開２０００−３５１５４６号公報（段落番号７、図１）
【０００４】
【発明が解決しようとする課題】
従来のエレベータの監視装置は、上記のとおり、エレベータの運転監視とかご内の監視とを別々の装置で行うシステムにおいては、監視装置を設置するために大きなスペースを必要とした。また、各監視装置のモニタ毎に係員を配置する必要もあり、費用上の問題もあった。
一方、エレベータの運転監視とかご内の監視とを組み合わせて表示させるようにした従来のエレベータの監視装置では、エレベータ制御装置及び監視カメラに直結されているので、設置場所は常に一定の場所に固定される。このため、エレベータの監視装置の設置場所を変更する場合は、エレベータ制御装置から改めて信号線を敷設しなければならない。
ところで、エレベータの監視装置の設置場所は、ビルの管理体制によって決まるものであり、管理体制が変れば設置場所も変更になる。例えば、事務所ビルでは、日中と夜間でビルの出入口が変り、また、管理体制も変わる。即ち、夜間では少ない警備員によって他のビル設備と共に一括して管理されるようになる。この管理体制の変化に応じてエレベータの監視装置の設置場所も変ることがある。
また、ビル管理の合理化計画に基いてエレベータの監視体制そのものが変ることもある。
このように、ビルの管理体制が変ると、従来のエレベータの監視装置は、エレベータ制御装置との間に新たに信号線を敷設しなればならず、費用がかかると共に、敷設工事のために時間がかかり、監視不能期間が長い、という問題があった。
【０００５】
この発明は、上記問題点を解決するためになされたものであり、かご内という密室におけるセキュリティを向上させると共に、装置の設置スペースを狭小化し、監視業務の費用を低減させることを目的とする。
また、ビルの管理体制の変更に伴うエレベータの監視場所の変更にも容易に対応することができるエレベータの監視装置を提供することを目的とする。
更に、監視場所を容易に増設することができるエレベータの監視装置を提供することを目的とする。
更にまた、同時刻におけるエレベータの運転状態とかご内映像を併せて表示させることにより異常状態を早期に発見するを目的とする。
【０００６】
【課題を解決するための手段】
この発明に係るエレベータの監視装置、エレベータの運転状態が所定の時間間隔で日時と共に記録された運転状態データと、この運転状態データに関連するかご内の映像が記録されたかご内映像データとを監視用サーバで集中して記録管理させると共に、この監視用サーバをコンピュータネットワークに接続し、更に、このコンピュータネットワークに監視用端末装置を接続して運転状態データとかご内映像データをモニタに表示させるようにしたものである。
【０００７】
【発明の実施の形態】
実施の形態１．
図１から図１６は、この発明の実施の形態１におけるエレベータの監視装置を示す。
図１は、エレベータの監視装置の全体構成を示すブロック図である。図において、エレベータ１は複数台が設置され、その全台が監視対象である。エレベータは所定台数毎に一括されて群管理運転されるバンクを構成している。各エレベータ制御装置２には管理番号Ｅ００１、Ｅ００２〜Ｅｎ〜ＥＮ（以下、総称する場合はＥｎとする。）が付されており、その管理番号Ｅｎによって各エレベータ１を特定することができる。かご３にはカメラ５が取り付けられていて、戸３ａを含めてかご３内の映像を撮影するようになっている。
【０００８】
エレベータ制御装置２は伝送路１１を介してデータ変換手段１２に接続されていて、図３に示す運転状態データ、即ち、管理番号Ｅｎ、バンク名、かご位置等が出力される。データ変換手段１２で各エレベータ制御装置２からの信号が所定の形式に揃えられる。即ち、エレベータの製造会社が異なる場合は当然に、また、同じ製造会社であってもエレベータの機種又は製造年月が異なる場合は信号形式が異なる。そこで、データ変換手段１２によって、信号形式を揃えるようにしたものである。データ変換手段１２は伝送路１３を介して監視用サーバ２０に接続されていて、各エレベータ制御装置２からの運転状態データを監視用サーバ２０に送信する。また、カメラ５によって撮影されたかご３内映像も伝送路１３を介して監視用サーバ２０に送信される。
【０００９】
監視用サーバ２０は、一定の時間間隔、例えば、１秒間隔で入出力回路２１を介して各エレベータ制御装置２から運転状態データを、また、カメラ５からかご内映像を受信する。
記録制御手段２２は入出力回路２１を介して受信された運転状態データを、システムパラメータテーブル２３（詳細を図２に示す。）を参酌して管理番号Ｅｎに対応するバンク名を読み取り、更に、メモリ番地を指定して運転状態記録手段２４へ送る。運転状態記録手段２４は運転状態データを、監視データテーブル２５（詳細を図３に示す。）の指定されたメモリ番地に所定の形式で記録する。
【００１０】
また、記録制御手段２２は、時計２６から現在の日付と時刻を読み取って日時記録手段２７へ送る。日時記録手段２７は監視データテーブル２５の指定されたメモリ番地に運転状態データの一部として所定の形式で日時を記録する。
更に、記録制御手段２２は、入出力回路２１を介して受信されたかご内映像データ２９ａを、メモリ番地（Ｅｎ＋ｉ）に関連させて映像コードＧｉを発生させ、かつ、かご内映像データ２９ａ用のメモリ番地（Ｅｎ＋Ｇｉ）を指定してかご内映像記録手段２８へ送る。かご内映像記録手段２８は、映像コードＧｉを監視データテーブル２５の指定されたメモリ番地に所定の形式で記録する。また、かご内映像データ２９ａを映像コードＧｉと共に監視映像ファイル２９（詳細を図４に示す。）に記録する。
【００１１】
監視用サーバ２０が、監視用端末装置４０から入出力回路３１を介して検索条件を受信すると、検索手段３０は、検索条件に従って監視データテーブル２５に記録された運転状態データと映像コードＧｉを、また、監視映像ファイル２９からかご内映像データ２９ａと映像コードＧｉを、それぞれ検索し、入出力回路３１からコンピュータネットワーク３２を介して監視用端末装置４０へ送信する。
【００１２】
コンピュータネットワーク３２は、ビル内に張り巡らされており、監視用端末装置４０はビル内の適所に設置される。検索条件は、監視用端末装置４０の検索条件入力手段４１（詳細を図１４に示す。）から検索条件が入力される。検索条件に基いて監視用サーバ２０において検索された運転状態データと映像コードＧｉは、入出力回路４２を介して受信され、順に検索データテーブル４３（詳細を図５に示す。）に記録される。また、かご内映像データ２９ａと映像コードＧｉも同様に、受信された順に検索映像ファイル４４（詳細を図６に示す。）に記録される。
【００１３】
表示条件入力手段４５によって、モニタ４８に表示させるデータを取り出すための表示条件が入力されると、表示制御手段４６は、入力された表示条件に従って検索データテーブル４３から運転状態データと映像コードＧｉを取り出し、更に、この映像コードＧｉに基いて検索映像ファイル４４から映像コードＧｉとかご内映像データ２９ａを取り出す。入出力回路４７は、運転状態データ、映像コードＧｉ及びかご内映像データ２９ａをモニタ４８に送信して表示させる。
【００１４】
図２は、システムパラメータテーブル２３の内容を示す概念図である。各エレベータ毎に付された固有の管理番号Ｅｎに対応させて、バンク名、停止回数及び製造会社が記録されている。
図３は、監視データテーブル２５の内容を示す概念図で、各管理番号Ｅｎ毎に対応させてテーブルが構成されている。
即ち、管理番号Ｅ００１のエレベータについては、メモリ番地（Ｅ００１＋１）から始まって最後（＝Ｌ）のメモリ番地（Ｅ００１＋Ｌ）まで連続したメモリ領域からなり、最後のメモリ番地（Ｅ００１＋Ｌ）まで記録されると、最初のメモリ番地（Ｅ００１＋１）に戻って循環し、上書き記録される。管理番号Ｅ００２のエレベータについては、メモリ番地（Ｅ００２＋１）から（Ｅ００２＋Ｌ）までの記憶領域からなる。以下、同様である。
【００１５】
メモリ番地は必要に応じて符号（Ｅｎ＋ｉ）で総称する。ここで、メモリ番地を管理番号Ｅｎに関連させたのは、符号の輻輳を避けるためである。
各メモリ番地（Ｅｎ＋ｉ）には、１秒間隔で記録されるものとし、そのデータの構成は、管理番号Ｅｎ、バンク名、日時、並びに、その日時におけるかご位置、運転方向、戸３ａの開閉状態、運転休止の別、及び、正常異常の別からなる運転状態データと、かご内映像データ２９ａに付された映像コードＧｉからなる。
【００１６】
図４は、監視映像ファイル２９の内容を示す概念図で、各管理番号Ｅｎ毎に対応させてファイルが構成されている。
即ち、管理番号Ｅ００１のエレベータについては、メモリ番地（Ｅ００１＋Ｇ１）から始まって最後（＝ＧＬ）のメモリ番地（Ｅ００１＋ＧＬ）まで連続した記憶領域からなり、最後のメモリ番地（Ｅ００１＋ＧＬ）まで記録されると、最初のメモリ番地（Ｅ００１＋Ｇ１）に戻って循環し、上書き記録される。管理番号Ｅ００２のエレベータについては、メモリ番地（Ｅ００２＋Ｇ１）から始まる記憶領域からなる。以下、同様である。
【００１７】
なお、以下の説明においては、映像コードを符号Ｇｉで総称することも、また、メモリ番地を表す符号（Ｅｎ＋Ｇｉ）とすることもある。ここで、メモリ番地（Ｅｎ＋Ｇｉ）を管理番号Ｅｎと映像コードＧｉに関連させたのは、符号の輻輳を避けるためである。
各メモリ番地（Ｅｎ＋Ｇｉ）には、監視データテーブル２５と同期させて１秒間隔で記録されるものとし、そのデータの構成は、かご内映像データ２９ａと映像コード（Ｅｎ＋Ｇｉ）とからなり、映像コード（Ｅｎ＋Ｇｉ）によって監視データテーブル２５と関連付けられる。即ち、符号Ｅｎによってエレベータが関連付けられ、符号Ｇｉによって撮影された日時が関連付けられる。
【００１８】
図５は、検索データテーブル４３の内容を示す概念図である。
即ち、管理番号Ｅ００１のエレベータについては、メモリ番地（Ｅ００１＋１）から最後まで連続したメモリ領域からなり、検索結果は最初のメモリ番地（Ｅ００１＋１）から書き込まれ、メモリ領域を超えない範囲に限られ、超える場合はエラーとなる。管理番号Ｅ００２のエレベータについては、メモリ番地（Ｅ００２＋１）から書き込まれる。以下、同様である。
【００１９】
図５に示す検索データテーブル４３は、図１４に示す検索条件に基いて、２００３年６月１日の７時０分０秒から８時０分０秒までの日時について、監視データテーブル２５から検索された結果である。従って、管理番号Ｅ００１のエレベータについては、メモリ番地（Ｅ００１＋１）〜（Ｅ００１＋３６０１）に運転状態データ及び映像コードＧｉが書き込まれる。管理番号Ｅ００２のエレベータについては、メモリ番地（Ｅ００２＋１）〜（Ｅ００２＋３６０１）となる。以下、同様である。
【００２０】
図６は、検索映像ファイル４４の内容を示す概念図である。
即ち、管理番号Ｅ００１のエレベータについては、メモリ番地（Ｅ００１＋Ｇ１）から最後まで連続したメモリ領域からなり、検索結果は最初のメモリ番地（Ｅ００１＋Ｇ１）から書き込まれ、メモリ領域を超えない範囲に限られ、超える場合はエラーとなる。管理番号Ｅ００２のエレベータについては、メモリ番地（Ｅ００２＋Ｇ１）から書き込まれる。以下、同様である。
【００２１】
図６に示す検索映像ファイル４４は、図１４に示す検索条件に基いて、２００３年６月１日の７時０分０秒から８時０分０秒までの日時について、監視映像ファイル２９から検索された結果であって、図５に示す検索データテーブル４３の内容と関連する。従って、管理番号Ｅ００１のエレベータについては、メモリ番地（Ｅ００１＋Ｇ１）〜（Ｅ００１＋Ｇ３６０１）にかご内映像データ２９ａ及び映像コード（Ｅｎ＋Ｇｉ）が書き込まれる。管理番号Ｅ００２のエレベータについては、メモリ番地（Ｅ００２＋Ｇ１）〜（Ｅ００２＋Ｇ３６０１）となる。以下、同様である。
【００２２】
以下、図７〜図１２に基いて動作を説明する。各動作は監視用サーバ２０及び監視用端末装置４０において、一定の時間間隔で、所定の順番で動作するように構成されている。
図７に基いて、監視用サーバ２０における監視データテーブル２５及び監視映像ファイル２９への書込み動作を説明する。
手順Ｓ１１で、管理番号Ｅｎを管理番号Ｅ００１に初期設定する。手順Ｓ１２で、変数ｉが最後の値Ｌになったか調べる。ここで、変数ｉは先回の書込み動作における監視データテーブル２５のメモリ番地を示すものである。従って、先回の書込みが、最後のメモリ番地（Ｅｎ＋Ｌ）であった場合は、今回は先頭のメモリ番地（Ｅｎ＋１）に書き込むため、手順Ｓ１３で変数ｉ＝１に設定される。最後のメモリ番地（Ｅｎ＋Ｌ）でない場合は、手順Ｓ１４へ移り、変数ｉ＝ｉ＋１に設定して先回の次のメモリ番地（Ｅｎ＋ｉ）を指定する。
【００２３】
手順Ｓ１５で、管理番号Ｅｎのエレベータのバンク名をシステムパラメータテーブル２３から読み取り、また、手順Ｓ１６で、時計２６から日付と時刻を読み取って、それぞれ監視データテーブル２５のメモリ番地（Ｅｎ＋ｉ）へ記録する。手順Ｓ１７で、管理番号Ｅｎ、かご位置（階４）、運転方向、戸３ａの開閉、運転休止の別、正常異常の別、及び映像コードＧｉを監視データテーブル２５のメモリ番地（Ｅｎ＋ｉ）へ記録する。ここで、映像コードＧｉは、変数ｉに関連して付与されるものであり、更に、エレベータを区別する必要がある場合は管理番号Ｅｎと組み合わされて符号（Ｅｎ＋Ｇｉ）で表される。
【００２４】
手順Ｓ１８で、かご内映像データ２９ａがカメラ５によって撮影され、映像コード（Ｅｎ＋Ｇｉ）と共に監視映像ファイル２９へ書き込まれる。手順Ｓ１９で、最後の管理番号ＥＮまで書き込んだ場合は処理を終了し、最後ではない場合は手順Ｓ２０で、次の管理番号Ｅｎについて手順Ｓ１１から上記の処理を繰り返す。
ここで、変数ｉは、最後の管理番号ＥＮのエレベータについて書き終わったときの値のままとなる。従って、次回の書込みはＳ１４により最後に書き込まれたメモリ番地（Ｅｎ＋ｉ）に続くことになり、更に、手順Ｓ１３によって初期値に設定されて循環し、上書き記録されることになる。
【００２５】
図８に基いて、監視用端末装置４０の基本動作を説明する。
監視用端末装置４０を立ち上げると、モニタ４８は図１３に示す初期画面となる。この初期画面において、手順Ｓ３１で、検索釦４８ａにマウスポインタ４８ｅが移されてクリックされる（以下、「ポインティング」という。）と図９に示す処理へ移り、検索条件が入力される。手順Ｓ３２で、監視釦４８ｂがポインティングされると図１２に示す処理へ移り、検索されたデータがモニタ４８に表示される。手順Ｓ３３で終了釦がポインティングされると、手順Ｓ３４でモニタ４８は図１３に示す初期画面へ復帰して処理を終了する。
【００２６】
図９に基いて、監視用端末装置４０から検索条件の入力動作を説明する。
図８の手順Ｓ３１で、検索釦４８ａポインティングされると、手順Ｓ５０へ移り、検索データテーブル４３及び検索映像ファイル４４がクリアされる。手順Ｓ５１で、モニタ４８は図１４に示す検索条件入力画面となる。手順Ｓ５２で、検索条件である検索開始日時と検索終了日時が入力され、ＯＫ釦がポインティングされると、手順Ｓ５３で、監視用サーバ２０へ送信されて処理を終る。
手順Ｓ５２で、検索条件が入力されなかった場合は、手順Ｓ５４へ移り、終了釦４８ｃがポインティングされると処理を終る。ポインティングされない場合は入力待ちの状態で処理を終了する。
【００２７】
図１０は監視用サーバ２０における検索動作であって、監視用端末装置４０で入力された検索条件に応動するものである。
手順Ｓ６１で、検索開始日時と検索終了日時を受信すると、手順Ｓ６２で、検索開始日時に一致する日時が記録された監視データテーブル２５のメモリ番地（Ｅ００１＋ｉ）から変数ｉを特定し、その値を変数ｊｓに書き込む。同様に、手順Ｓ６３で、検索終了日時の変数ｉを特定し、その値を変数ｊｅに書き込む。手順Ｓ６４で、管理番号Ｅｎ＝Ｅ００１に初期設定する。手順Ｓ６５で、変数ｊ＝ｊｓに初期設定する。
【００２８】
手順Ｓ６６で、監視データテーブル２５のメモリ番地（Ｅｎ＋ｊ）に記録された運転状態データと映像コードＧｊを監視用端末装置４０へ送信する。手順Ｓ６７で、監視映像ファイル２９のメモリ番地（Ｅｎ＋Ｇｊ）に記録されたかご内映像データ２９ａと映像コードＧｊを監視用端末装置４０へ送信する。以下、手順Ｓ６８及び手順Ｓ６９を介して変数ｊをインクリメントして検索終了日時まで逐次的に検索して監視用端末装置４０へ検索結果を送信する。手順Ｓ６８で、変数ｊが変数ｊｅになった場合は手順Ｓ７０及び手順Ｓ７１を介して次の管理番号Ｅｎについて、監視データテーブル２５のメモリ番地（Ｅｎ＋ｊｓ）〜（Ｅｎ＋ｊｅ）に記録されたデータと監視映像ファイル２９のメモリ番地（Ｅｎ＋Ｇｊｓ）〜（Ｅｎ＋Ｇｊｅ）に記録されたデータを逐次的に検索して監視用端末装置４０へ送信し、最後の管理番号ＥＮまで検索し送信すると処理を終了する。
なお、変数ｉに替えて変数ｊを使用したのは、変数ｉはデータ収集で監視データテーブル２５に最後に書き込んだメモリ番地（Ｅｎ＋ｉ）を示す値になっており、その値を保持させるためである。
【００２９】
図１１は、監視用端末装置４０における検索データテーブル４３及び検索映像ファイル４４への検索データの書込み動作である。
手順Ｓ８０で、監視用サーバ２０から送信された検索結果を監視用端末装置４０が受信すると、手順Ｓ８２で、受信した検索データから管理番号Ｅｎと日時を読み取り、検索開始日時を変数ｉ＝１としたときの検索日時の変数ｉを算出し、検索データテーブル４３のメモリ番地（Ｅｎ＋ｉ）を指定する。手順Ｓ８３で、運転状態データ及び映像コードＧｉを検索データテーブル４３の指定されたメモリ番地（Ｅｎ＋ｉ）へ書き込む。
【００３０】
手順Ｓ８４で、検索映像ファイル４４のメモリ番地（Ｅｎ＋Ｇｉ）を指定し、手順Ｓ８５で、検索映像ファイル４４のメモリ番地（Ｅｎ＋Ｇｉ）にかご内映像データ２９ａ及び映像コードＧｉを書き込む。検索終了日時まで書き込むと手順Ｓ８６から手順Ｓ８７へ移り、最後の管理番号ＥＮまで書き込んで処理を終了する。
運転状態データ及び映像コードＧｉが書き込まれた検索データテーブル４３を図５に示し、かご内映像データ２９ａ及び映像コードＧｉが書き込まれた検索映像ファイル４４を図６に示す。
【００３１】
図１２は、検索データをモニタ４８に表示させる処理を示す。
検索データテーブル４３及び検索映像ファイル４４へ検索データが書き込まれ、モニタ４８の画面は図１４に示す状態になっているとする。監視釦４８がポインティングされると、図８の手順Ｓ３２から図１２の手順Ｓ９０へ移る。手順Ｓ９０で、図１５に示す表示条件入力手段４５がモニタ４８に表示される。表示条件入力手段４５は、表示すべき日時と、バンク名と、かご位置と、運転休止と、正常異常と、表示形式とを指定することができる。各指定項目は加重されるものとする。
【００３２】
表示条件が指定されると手順Ｓ９１から手順Ｓ９２へ移る。ここでは、図１５に示したとおり、表示日時（２００３年６月１日７時３０分０秒）と第１バンクが指定された例を示す。
図１５のとおり表示形式が「固定」としてＯＫ釦がポインティングされた場合は、手順Ｓ９２から手順Ｓ９３へ移る。手順Ｓ９３では指定された表示日時における運転状態データがモニタ４８に表示される。その概要を図１５に示す。即ち、かご位置は縦軸上の位置で表示される。
表示形式が「先移動」としてＯＫ釦がポインティングされた場合は、手順Ｓ９２から手順Ｓ９４へ移る。手順Ｓ９４では指定された表示日時を開始日時として切り替って先の日時の運転状態データが順次モニタ４８に表示される。
表示形式が「後移動」としてＯＫ釦がポインティングされた場合は、手順Ｓ９２から手順Ｓ９５へ移る。手順Ｓ９５では指定された表示日時を開始日時として切り替って後の日時の運転状態データが順次モニタ４８に表示される。
【００３３】
モニタ４８上のかご位置がポインティングされると、かご内映像データ２９ａと映像コード（Ｅｎ＋Ｇｉ）がモニタ４８に追加して表示される。図１６は、管理番号Ｅ００１のかご位置がポインティングされた場合を例示したものである。なお、表示形式が「先移動」でかご位置がポインティングされた場合は、かご内映像データ２９ａと映像コード（Ｅｎ＋Ｇｉ）を含めて、表示日時の切替りと共に、切替後の日時におけるデータ内容に順次切り替えられて表示される。
表示形式が「後移動」の場合も同様であり、表示日時が切り替えられて、切替後の日時におけるデータ内容が順次表示される。従って、図１４に示す検索条件入力手段４１で現在の日時を入力し、図１５に示す表示条件入力手段４５で「後移動」とした場合は、監視用サーバ２０に取り込まれた最新のデータがモニタ４８に表示される。即ち、運転状態データやかご内映像データ２９ａをリアルタイムで表示させることができる。
【００３４】
上記実施の形態１によれば、エレベータ１の運転状態が所定の時間間隔で日時と共に記録された運転状態データと、この運転状態データの記録と同時に記録されたかご内映像データ２９ａとを対応付けて監視用サーバ２０に記録して集中管理し、この監視用サーバ２０にコンピュータネットワーク３２を介して監視用端末装置４０を接続し、監視用サーバ２０に記録されているデータをモニタ４８上に表示させてエレベータ１を監視するようにしたので、エレベータ１の運転状態に応じてかご内映像を監視することができる。このため、指定した日時におけるかご内映像を監視することにより、かご内という密室におけるセキュリティを向上させることができると共に、１台の装置で監視することもできるので、設置スペースを狭小化させることができる。これに伴って係員も省力化されるので、監視業務の費用を低減させることができる。
また、監視用サーバ２０に記録されたデータを遡及してモニタ４８上に表示させることができるので、異常状態及び異常原因を早期に発見することもできる。
特に、監視用端末装置４０はコンピュータネットワーク３２に接続すればよいので、監視場所が変っても、新たな監視場所に敷設されている既設のコンピュータネットワーク３２に監視用端末装置４０を接続すればよい。このため、ビルの管理体制の変動に容易に対応することができる。監視不能期間を短縮化することもできる。
【００３５】
更に、監視場所が増設される場合でも同様に容易に対応することができる。
更にまた、監視用サーバ２０に記録されているデータを検索する条件も、モニタ４８から入力されるので、エレベータの監視装置をコンパクト化させることができる。
更にまた、監視用サーバ２０から監視用端末装置４０へ取り込んだ運転状態データとかご内映像データ２９ａを、表示させる日時を前後に切り替えて順次モニタ４８に表示させるようにしたので、広い時間帯に亙って監視することができる。
更にまた、モニタ４８に表示されているかご位置がポインティングされると、かご内映像データ２９ａがモニタ４８に表示されるので、同時刻におけるエレベータの運転状態とかご内映像を併せて表示させることができ、監視の充実化を図ることができた。
【００３６】
なお、上記実施の形態１では、検索条件入力手段４１は、図１４に示したとおり、日時のみとしたが、これに限られるものではなく、監視データテーブル２５に記録された各項目毎に検索することも可能である。それを実施する具体的内容は、上記実施の形態１から容易に類推できるので、詳細は省略する。
【００３７】
【発明の効果】
この発明に係るエレベータの監視装置は以上説明したとおり、エレベータの運転状態が所定の時間間隔で日時と共に記録された運転状態データと、この運転状態データに関連付けてかご内の映像が記録されたかご内映像データとを監視用サーバで集中して記録管理させると共に、この監視用サーバをコンピュータネットワークに接続し、更に、このコンピュータネットワークに監視用端末装置を接続して運転状態データとかご内映像データをモニタに表示させるようにしたものである。
このため、エレベータの運転状態に応じてかご内映像を監視することができ、かご内という密室におけるセキュリティを向上させることができると共に、監視用サーバに記録されたデータを遡及してモニタ上に表示させることができるので、異常状態及び異常原因を早期に発見することもできる、という効果を奏する。特に、監視用端末装置はコンピュータネットワークに接続すればよいので、監視場所が変っても、既設のコンピュータネットワーク３２に監視用端末装置を接続すればよい。このため、ビルの管理体制の変動に容易に対応することができ、監視不能期間も短縮化させることもできる、という効果も併せて奏する。
【図面の簡単な説明】
【図１】この発明の実施の形態１におけるエレベータの監視装置の全体構成を示すブロック図。
【図２】システムパラメータテーブル２３の内容を示す概念図。
【図３】監視データテーブル２５の内容を示す概念図。
【図４】監視映像ファイル２９の内容を示す概念図。
【図５】検索データテーブル４３の内容を示す概念図。
【図６】検索映像ファイル４４の内容を示す概念図。
【図７】監視用サーバ２０における監視データテーブル２５及び監視映像ファイル２９への書込み動作を示す流れ図。
【図８】監視用端末装置４０の基本動作を示す流れ図。
【図９】監視用端末装置４０から検索条件の入力動作を示す流れ図。
【図１０】監視用サーバ２０における検索動作を示す流れ図。
【図１１】監視用端末装置４０の検索データテーブル４３及び検索映像ファイル４４への書込み動作を示す流れ図。
【図１２】検索データをモニタ４８に表示させる動作を示す流れ図。
【図１３】初期画面を表示するモニタ４８の正面図。
【図１４】検索条件入力手段４１を表示するモニタ４８の正面図。
【図１５】表示条件入力手段４５と運転状態が表示されたモニタ４８の正面図。
【図１６】表示条件入力手段４５、運転状態及びかご内映像が表示されたモニタ４８の正面図。
【符号の説明】
１  エレベータ、  ２  エレベータ制御装置、  ３  かご、  ４  階、  ５  カメラ、  １１  伝送路、  １３  伝送路、  ２０  監視用サーバ、  ２３  システムパラメータテーブル、  ２５  監視データテーブル、  ２６  時計、  ２９  監視映像ファイル、  ４０  監視用端末装置、  ４１  検索条件入力手段、４３  検索データテーブル、  ４４  検索映像ファイル、  ４５  表示条件入力手段、  ４８  モニタ。
【図１】
2005001864.tif 000003
【図２】
2005001864.tif 000004
【図３】
2005001864.tif 000005
【図４】
2005001864.tif 000006
【図５】
2005001864.tif 000007
【図６】
2005001864.tif 000008
【図７】
2005001864.tif 000009
【図８】
2005001864.tif 000010
【図９】
2005001864.tif 000011
【図１０】
2005001864.tif 000012
【図１１】
2005001864.tif 000013
【図１２】
2005001864.tif 000014
【図１３】
2005001864.tif 000015
【図１４】
2005001864.tif 000016
【図１５】
2005001864.tif 000017
【図１６】
2005001864.tif 000018